(57)【特許請求の範囲】
【請求項１】
錠剤を製造するための回転プレス機（１０）であって、前記回転プレス機（１０）は、
駆動されるロータ（１５）、
少なくとも１つの圧縮ロールユニット（１３）、
支承装置（１１）、及び、
複数の保持装置（１７）を備え、
前記支承装置（１１）に前記保持装置（１７）が配置されており、
前記圧縮ロールユニット（１３）は前記保持装置（１７）により着脱可能に前記支承装置（１１）に固定され、
前記圧縮ロールユニット（１３）は、前記保持装置（１７）の１つに選択的に固定可能であり、かつ、前記保持装置（１７）の間を移動させることが可能である、ことを特徴とする回転プレス機。
【請求項２】
前記支承装置（１１）は少なくとも１つの支承板（１２）を含む、ことを特徴とする請求項１に記載の回転プレス機。
【請求項３】
前記保持装置（１７）は張引装置を含む、ことを特徴とする請求項１または２に記載の回転プレス機。
【請求項４】
前記保持装置（１７）は、前記ロータ（１５）の周囲にわたって分散配置されている、ことを特徴とする請求項１から３までのいずれか１項に記載の回転プレス機。
【請求項５】
前記保持装置（１７）は、これが前記支承装置（１１）に収容されている非使用位置にもたらすことができる、ことを特徴とする請求項１から４までのいずれか１項に記載の回転プレス機。
【請求項６】
非使用位置にある前記保持装置（１７）は、前記支承装置（１１）の前記ロータ（１５）に向いた側と滑らかで段のない平面を形成する、ことを特徴とする請求項５に記載の回転プレス機。
【請求項７】
少なくとも１つの充填装置（１６）が前記ロータ（１５）の周領域に配置されており、
複数の同種の駆動装置（１９）が設けられており、前記充填装置（１６）は伝動エレメント（１８）を介して、前記駆動装置（１９）の１つと選択的に結合可能である、ことを特徴とする請求項１から６までのいずれか１項に記載の回転プレス機。
【請求項８】
前記駆動装置（１９）は、前記支承装置（１１）にまたはその上に配置されている、ことを特徴とする請求項７に記載の回転プレス機。
【請求項９】
前記駆動装置（１９）は、前記ロータ（１５）の周囲にわたって分散配置されている、ことを特徴とする請求項７または８に記載の回転プレス機。
【請求項１０】
前記伝動エレメント（１８）は、ベルト、フレキシブルなシャフトまたは継手軸である、ことを特徴とする請求項７から９までのいずれか１項に記載の回転プレス機。
【請求項１１】
前記駆動装置（１９）は、これが前記支承装置（１１）に収容されている非使用位置にもたらすことができる、ことを特徴とする請求項７から１０までのいずれか１項に記載の回転プレス機。
【請求項１２】
非使用位置にある前記駆動装置（１９）は、前記支承装置（１０）の前記ロータ（１５）に向いた側と面一に閉じている、ことを特徴とする請求項１１に記載の回転プレス機。
【請求項１３】
前記ロータ（１５）の上方および／または下方には、少なくとも１つの制御曲線部を収容するための曲線部支持体（２０、２１）が配置されており、前記曲線部支持体（２０、２１）は、交換可能に支承された複数の曲線部支持体セグメント（２０ａ、２０ｂ、２０ｃ、２１ａ、２１ｂ、２１ｃ）から統合されている、ことを特徴とする請求項１から１２までのいずれか１項に記載の回転プレス機。
【請求項１４】
前記曲線部支持体セグメント（２０ａ、２０ｂ）は、前記支承装置（１１）の上に配置されている、ことを特徴とする請求項１３に記載の回転プレス機。
【請求項１５】
前記支承装置（１１）の所望の配向からの偏差を監視し、検出する検出装置と、前記偏差を補正する調整装置とからなる水準測量装置を備えることを特徴とする請求項１から１４のいずれか１項に記載の回転プレス機。
【請求項１６】
前記水準測量装置（Ｎ）は、前記支承装置（１１）の上側を水平の配向に保持する、ことを特徴とする請求項１５に記載の回転プレス機。
【発明の詳細な説明】
【技術分野】
【０００１】
本発明は、駆動されるロータと、少なくとも１つの圧縮ロールユニットとを備える、錠剤を製造するための回転プレス機であって、圧縮ロールユニットは保持装置により着脱可能に支承装置に固定されている回転プレス機に関する。
【背景技術】
【０００２】
たとえば特許文献１から公知のような上位概念による回転プレス機は、回転駆動されるロータを有し、このロータは、実質的に水平の平面内を回転し、多数のスタンプペアを支持する。このスタンプペアは、それぞれ１つの上側スタンプと下側スタンプからなり、これらのスタンプは互いに調節可能である。ロータの周囲の所定個所では、加工すべき材料または錠剤に圧縮すべき材料が充填装置により、上側スタンプと下側スタンプとの間の中間空間に充填される。このように充填されたスタンプペアがロータの回転によりその周方向に移動されると、２つのスタンプが制御曲線により互いに運動され、ロータの周方向で後置された圧縮ロールユニットに達する。そしてこの圧縮ロールユニット内でスタンプペアが圧力によって互いに圧縮され、それにより材料は錠剤を形成するよう圧縮される。引き続き、スタンプはロータの周方向で後置された取り出しステーションに進入し、この取り出しステーション内でスタンプが互いに引き離され、錠剤が取り出され、搬出される。
【０００３】
上記の方法工程は、１つの単一の材料からなる錠剤、すなわちいわゆる単層錠剤の製造方法に関するものである。ここでこの措置の変形形態では、材料の予備プレスを追加で行うことができ、そのためには充填装置と前記圧縮ロールユニットとの間に配置された別の圧縮ロールユニットが使用される。
【０００４】
圧縮ロールユニットは、１つの圧縮ロールペアかまたは個々の圧縮ロールを有することができる。
【０００５】
２つ以上の異なる材料からなる多層錠剤を製造すべき場合、まず第１の材料が第１の充填装置によって、スタンプ間の中間空間に充填され、これに続いて第１の材料が第１の圧縮ロールユニットによって予備圧縮される。続いて第２の材料が第２の充填装置により、スタンプ間にある残りの中間空間に充填され、第２の圧縮ロールユニットによって圧縮される。場合により、同じまたは別の材料からなる別の層をさらに設けることもできる。すべての材料が錠剤に圧縮されると、錠剤は引き続き取り出される。したがってここでは多数の作業ステーション、すなわち少なくとも２つの充填装置、少なくとも２つの圧縮ロールユニットおよび取り出しステーションがロータの周囲に分散配置されている。
【０００６】
基本的に異なる構成の別の作業ステーションが、予作製された第１の材料からなるコアを第２の材料からなる下側層と上側層にカプセル化する、いわゆるカプセル剤のために必要である。さらにすべての場合で、材料の予備プレスを行うことができ、加工すべき材料の種類と量に応じて種々の充填装置が使用される。
【０００７】
使用者が望む錠剤形式（それぞれ予備プレスを行うまたは行わない、たとえば単層錠剤、２層錠剤、３層錠剤、カプセル剤）と、加工すべき材料の形式にも回転プレス機を適合するために、使用者は個々の作業ステーションをそれぞれ所定の相互配置で、ロータに対して整列させて取り付けなければならない。このためには回転プレス機の面倒な改変が必要であり、このことは回転プレス機の長期間の停止状態時間につながる。
【先行技術文献】
【特許文献】
【０００８】
【特許文献１】ドイツ特許第１９７０５０９４号
【発明の概要】
【発明が解決しようとする課題】
【０００９】
本発明の基礎とする課題は、冒頭に述べた形式の回転プレス機において、別の形式の錠剤製造に適合する目的での回転プレス機の改変を容易にすることである。
【課題を解決するための手段】
【００１０】
この課題は本発明により、請求項１の特徴を備える回転プレス機によって解決される。ここでは、圧縮ロールユニットが脱着可能に固定された支承装置にまたはその上に複数の同種の保持装置が配置され、圧縮ロールユニットは保持装置にまたはその上に、および／または種々の保持装置の間に選択可能に置換することができる。好ましくはロータの周囲に分散配置されて、あらかじめ取り付けられた保持装置により、使用者は、圧縮ロールユニットを取り付けるために、ロータを基準にして圧縮ロールユニットの所望の位置に割り当てられている保持装置を選択することができる。圧縮ロールユニットを第１の位置からロータの別の周位置にもたらすために、ユーザは、これまで圧縮ロールユニットと係合していた保持装置を外すだけで良く、圧縮ロールユニットは新たな位置に移動またはずらされ、そこにすでに存在する保持装置と係合し、このようにして固定される。ここで圧縮ロールユニットの移動は、所定の案内部の上でまたはエアクッションの上でも行うことができ、これにより置換運動が簡単になる。しかし圧縮ロールユニットの移動をリフト装置によって行うことも考えられる。
【００１１】
さらに本発明の回転プレス機では、たとえば材料の予備プレスまたは多層錠剤で必要となるような付加的な圧縮ロールユニットを、ロータの適切な周領域に所望のように配置することができる。なぜなら使用者はあらかじめ取り付けられた複数の保持装置をすでに有しており、それらから使用者は適切な保持装置を容易に選択することができ、それぞれの圧縮ロールユニットと係合させることができるからである。
【００１２】
このようにして本発明により、フレキシブルで、簡単に再装備することのできる、錠剤製造用の回転プレス機が創成される。
【００１３】
本発明の好ましい構成では、支承装置が少なくとも１つの支承板を有し、保持装置は好ましくは、該支承板の圧縮ロールユニットとは反対の側に配置されており、支承板を貫通している。支承板（単数または複数）は、圧縮ロールユニット（単数または複数）の上方および／または下方に配置することができる。
【００１４】
保持装置はネジ機構を有することができ、該ネジ機構は圧縮ロールユニットとネジ留めされており、しかし択一的に圧縮ロールユニットを保持装置により、たとえば液圧的にまたは空気力学的に支持または係止し、このようにして圧縮ロールユニットの迅速な取り付けと解除を可能にする高速交換保持装置を得ることもできる。
【００１５】
圧縮ロールユニットは通例、比較的大きな重量を有し、圧縮ロールユニットを手動で置換することが困難であるので、圧縮ロールユニットは通例、支承装置または支承板の上を移動される。保持装置がこの移動を妨げないようにするため、本発明の改善形態では、保持装置を、これが支承装置内に収容されている非使用位置にもたらすことができ、これより圧縮ロールユニットが配置されている、支承装置の移動される側では、保持装置が突き出ていない。ここで保持装置は、非使用位置では支承装置または支承板の表面とともに滑らかで段のない面を形成すべきであり、これにより一方では圧縮ロールユニットの移動が容易になり、他方では材料屑が窪みに集まることが回避される。材料屑が窪みに集まることは、衛生的理由から望ましくない。
【００１６】
回転プレス機の構成に応じて、１つまたは複数の充填装置がロータの周領域に配置されている。各充填装置は、圧縮すべき材料を、上側スタンプと下側スタンプとの間の中間空間に取り込むことができるようにするため少なくとも１つの駆動部を必要とする。本発明によれば、回転プレス機は複数のあらかじめ取り付けられた同形式の駆動装置を有し、充填装置は少なくとも１つの伝動エレメントを介して、駆動装置の１つと選択的に結合可能である。
【００１７】
伝動エレメントは、たとえばベルト、フレキシブルなシャフト、または継手軸とすることができる。使用者はこの構成に基づいて、ロータの周領域で充填装置を所望の適切な個所に位置決めすることができ、伝動エレメントを介して１つの、通例は隣の駆動装置と結合することができる。このとき駆動装置を支承装置または支承板に配置することができる。駆動装置を、ロータの周囲に分散配置するととくに有利であることが判明した。これにより、充填装置の各位置に対して適切な駆動装置が近傍に存在することになる。
【００１８】
支承装置が少なくとも１つの支承板によって形成されている場合、駆動装置は、支承板から突き出ていて、この支承坂内に回転可能に支承された駆動軸を有することができる。この駆動軸は、固有の駆動部と結合されているか、または適切なやり方で中央駆動部により駆動される。複数の、とりわけ２から３の駆動軸に１つの共通の駆動モータが設けられており、モータの駆動運動が通例はベルトまたは伝動装置、たとえば歯車伝動装置を介して個々の駆動軸に伝達されると、とくに有利であることが判明した。
【００１９】
本発明の好ましい構成では、駆動装置を、これが支承装置内または支承板（単数または複数）内に収容または沈む込んだ非使用位置にもたらすことができる。これの利点は、駆動装置が非使用位置では支承装置または支承板から突き出ておらず、したがって圧縮ロールユニットの置換運動を妨害しないことである。
【００２０】
本発明の改善形態では、駆動装置が非使用位置では、支承装置または支承板（単数または複数）の外側と面一に閉じることができ、これにより材料屑が集まり得る空洞が回避される。
【００２１】
回転プレス機で公知の構造では、通例、ロータの上方および／または下方に少なくとも１つの制御曲線部を収容するための曲線支持体が配置されており、この制御曲線部がスタンプペアの上側スタンプと下側スタンプの相対運動、ならびにロータ回転時のロータに対するそれらの運動を制御する。回転プレス機の構成に応じ、所望の使用目的に依存して、制御曲線部も対応して適合しなければならない。したがって本発明の改善形態では、曲線部支持体が、交換可能に支承された複数の曲線部支持体セグメントから統合されており、これにより使用者は自分の使用目的に適する曲線部支持体を、対応するセグメントから個別に統合することができる。回転プレス機の改変の際には、場合により制御曲線部または曲線部支持体の個々の区間だけを変更すれば良いから、個々の曲線部支持体セグメントの交換により、迅速で簡単な改変を達成することができる。
【００２２】
好ましくは曲線部支持体セグメントは支承装置または支承板に配置されており、これとネジ留めされているか、または高速交換張引装置によって結合されている。
【００２３】
回転プレス機の正常な機能を保証するために、ロータは正確に水平に配向されているべきである。回転プレス機の改変、とりわけ比較的重たい圧縮ロールユニットを支承装置または支承板の上で移動することにより、とりわけ圧縮ロールユニットが柔軟に撓む支承部を介して支持されている場合には、支承装置または支承板の斜め位置を引き起こし得る負荷の不均衡な分散が生じる。したがって本発明の改善形態では、水準測量装置が設けられており、この水準測量装置により、支承装置または支承板が所望の配向に、とりわけ水平の配向に保持される。好ましくは水準測量装置は、所望の配向からの支承装置または支承板の偏差を監視し、検出する検出装置と、好ましくは空気力学的または液圧的な調整装置とからなり、この調整装置により支承装置または支承板を再び所望の配向にもたらすことができる。
【００２４】
本発明のさらなる詳細および特徴は、図面を参照した以下の実施例の説明から明らかとなる。
【図面の簡単な説明】
【００２５】
【図１】本発明の回転プレス機の概略的斜視図である。
【図２】沈み込んだ保持装置を備える下側支承板の概略的断面図である。
【図３】充填装置のための駆動装置を備える下側支承板の概略的断面図である。
【発明を実施するための形態】
【００２６】
図１の回転プレス機１０は、錠剤の製造に用いられ、水平に配向された下側支承板１２の形の支承装置１１を有する。概略的にのみ図示したロータ１５は図示しないやり方で回転駆動され、周囲に分散された多数の孔部を有する。この孔部には通例、図示しないやり方でそれぞれ１つの上側スタンプと下側スタンプが移動可能に収容されている。ロータ１５の上方では、支承板１２とは反対の側に上側曲線部支持体２１が配置されており、この曲線部支持体は上側スタンプのための制御曲線部を支持し、曲線部支持体セグメント２１ａ、２１ｂ、２１ｃから統合されている。ロータ１５の下方では、下側曲線部支持体２０が支承板１２の上に支承されており、この曲線部支持体は下側スタンプを支持し、複数の曲線部支持体セグメント２０ａ、２０ｂ、２０ｃから統合されている。曲線部支持体セグメント２０ａ、２０ｂ、２０ｃならびに２１ａ、２１ｂ、２１ｃは、互いに独立して取り外し、交換することができ、下側または上側曲線部支持体２０、２１を、それぞれ回転プレス機１０の所望の構成に適合することができる。
【００２７】
圧縮ロールユニット１３は一対の圧縮ロール１４を有し、圧縮ロールは支持柱１３ａを介して支承板１２の上側に支承されており、そこで保持装置１７によって固定、とりわけ支持されている。
【００２８】
図１に示すように、支承板１２内には複数の同種の保持装置１７が形成されており、これら保持装置はロータ１５の周囲にわたって分散配置されている。各保持装置１７には圧縮ロールの支持柱１３ａを同形式で取り付けることができ、したがって使用者は、専用の保持部または支承部を形成することなしに、圧縮ロールユニット１３に対する多数の配置が可能である。
【００２９】
図２は、支承板１２内にある保持装置１７を概略的にのみ示す。矢印Ｖにより示されるように、保持装置１７は支承板１２のプレート面に対して垂直に、支承板１２の上側に突き出た使用位置（この使用位置では保持装置１７が支持柱１３ａと係合することができる）と、図２に示した非使用位置との間で調整することができる。非使用位置では保持装置１７は支承板１２内に完全に押し込まれており、したがって保持装置１８は支承板１２の上側とともに、滑らかで段のない面を形成する。これにより、比較的重たい支持柱１３ａを、支承板１２の上側で図１に矢印Ｕにより示されるように、異なる保持装置１７の間で移動または置換することができる。
【００３０】
さらにロータ１５には充填装置１６が配設されている。この充填装置により、圧縮すべき材料を、上側スタンプと下側スタンプとの間の中間空間に通例のように取り込むことができる。充填装置１６は駆動部を必要とし、この駆動部は本発明の回転プレス機では、支承板１２に組み込まれているか、またはその下方に配置されている。図３が示すように、支承板１２は駆動軸２２によって貫通されており、駆動軸は図示のように回転駆動され（矢印Ｄ参照）、支承板１２のプレート面に対して垂直に軸方向に調節することができる（矢印Ｗ参照）。これにより、駆動軸は使用位置では図３に示すように支承板１２の上側に突き出ており、非使用位置では支承板１２内に引き込むことができる。
【００３１】
図１が示すように、支承板１２には複数の駆動装置１９が設けられており、支承板１２からロータ１５の方向に上方に突き出たそれらの駆動軸２２はロータ１５の周囲にわたって分散されている。充填装置１６を駆動するために、使用者は、たとえば継手軸の形の伝動エレメント１８を介して充填装置１６を駆動軸２２と結合することができる。これにより、充填装置１６が新たに位置決めされると、すでに前もって取り付けられた適切な駆動装置１９と簡単かつ迅速に接続することができる。
【００３２】
図１の矢印Ｎは水準測量装置を示す。この水準測量装置により、支承板１２が水平の配向に維持される。これは、支承板が柔軟に撓む支承部に支承されており、回転プレス機の改変により支承板１２上の負荷分散が変化する場合に必要である。
【図１】
0005573944.tif 000002
【図２】
0005573944.tif 000003
【図３】
0005573944.tif 000004